(57)【要約】【課題】落雷等によるサージの影響を受けにくく、またノイズの発生を抑制することが可能な無停電電源装置およびその制御方法を提供する。【解決手段】無停電電源装置１００は、バッテリーユニット２０と、バッテリーユニット２０に電力を供給する充電器１０と、バッテリーユニット２０から電力を放電するインバータ３０と、商用電源と充電器１０とを接続可能な第１のスイッチ４１と、商用電源またはインバータ３０のいずれか一方と負荷とを接続可能な第２のスイッチ４２と、第１のスイッチ４１および第２のスイッチ４２を制御する制御部５０と、を有する。制御部５０は、所定のトリガに応じて、第１のスイッチ４１を接続し、第２のスイッチ４２を商用電源側に接続する商用電源駆動状態と、第１のスイッチ４１を切断し、第２のスイッチ４２をインバータ３０側に接続するバッテリー駆動状態と、を切り替える。【選択図】図１
2017184540.tif 000002
【特許請求の範囲】
【請求項１】
バッテリーユニットと、
前記バッテリーユニットに電力を供給する充電器と、
前記バッテリーユニットから電力を放電するインバータと、
商用電源と、前記充電器と、を接続可能な第１のスイッチと、
前記商用電源または前記インバータのいずれか一方と、負荷と、を接続可能な第２のスイッチと、
前記第１のスイッチおよび前記第２のスイッチを制御する制御部と、を有し、
前記制御部は、所定のトリガに応じて、前記第１のスイッチを接続し、前記第２のスイッチを前記商用電源側に接続する商用電源駆動状態と、前記第１のスイッチを切断し、前記第２のスイッチをインバータ側に接続するバッテリー駆動状態と、を切り替えることを特徴とする
無停電電源装置。
【請求項２】
前記バッテリーユニットは、並列接続された複数のバッテリーと、前記複数のバッテリーのうちの１つのみを、前記充電器から充電可能な状態に接続するよう制御する充電切替器と、を含む
請求項１記載の無停電電源装置。
【請求項３】
前記制御部は、雷の発生を前記トリガとして認識する
請求項１または２に記載の無停電電源装置。
【請求項４】
前記制御部は、予め定められたスケジュールに従って前記トリガを認識する
請求項１または２に記載の無停電電源装置。
【請求項５】
バッテリーユニットと、
前記バッテリーユニットに電力を供給する充電器と、
前記バッテリーユニットから電力を放電するインバータと、
商用電源と、前記充電器と、を接続可能な第１のスイッチと、
前記商用電源または前記インバータのいずれか一方と、負荷と、を接続可能な第２のスイッチと、
前記第１のスイッチおよび前記第２のスイッチを制御する制御部と、を有する無停電電源装置の制御方法であって、
前記制御部が、所定のトリガに応じて、前記第１のスイッチを接続し、前記第２のスイッチを前記商用電源側に接続する商用電源駆動状態と、前記第１のスイッチを切断し、前記第２のスイッチをインバータ側に接続するバッテリー駆動状態と、を切り替えることを特徴とする
無停電電源装置の制御方法。
【発明の詳細な説明】
【技術分野】
【０００１】
この発明は、無停電電源装置に関し、特に商用電源駆動とバッテリー駆動とを切替可能な無停電電源装置およびその制御方法に関するものである。
【背景技術】
【０００２】
従来より、停電等の商用電力遮断時に備えて、電力供給が必要な機器に常に接続しておき、停電等の商用電力遮断時に機器に対して電力を供給することが可能なバッテリーを搭載した無停電電源装置が知られている。この際、長時間のバックアップが求められる場合には、複数のバッテリーを並列接続するものが採用されている。
【０００３】
例えば特許文献１には、複数のバッテリーが並列接続された無停電電源装置において、通常時には各バッテリーが充電されるように切替器の切替制御が行われ、停電発生時にはバッテリーからインバータ／コンバータ部に給電が行われるように切替器の切替制御が行われ、バッテリーのチェック時にはチェック対象となるバッテリーがＵＰＳ内部負荷に接続されるように切替器の切替制御が行われることが記載されている。
【０００４】
また、特許文献２には、雷に関する予報を取得した際に、負荷への給電方法を、商用電源からバッテリー駆動に切り替えることで、落雷により商用電源がダウンした際に起こりうる瞬停を未然に防止する無停電電源装置が記載されている。
【先行技術文献】
【特許文献】
【０００５】
【特許文献１】特開２００５−２８７１７４号公報
【特許文献２】特許第５４７７７７１号
【発明の概要】
【発明が解決しようとする課題】
【０００６】
しかしながら、特許文献１に記載されているような従来の無停電電源装置は、落雷等により停電が発生してから、負荷への給電方式を商用電源駆動からバッテリー駆動へと切り替える。そのため、落雷による雷サージの影響で、上述の切り替えが終わる前に無停電電源装置が破損してしまうことがある。
【０００７】
この点、特許文献２に記載の無停電電源装置は、雷の予報を取得した時点で、負荷への給電方式を商用電源駆動からバッテリー駆動に切り替える。しかしながら、図７に示すように、この無停電電源装置においては、バッテリー駆動時においても商用電源３００と充電器１０３およびインバータ１０６とが接続されている。そのため、落雷による雷サージの影響で、充電器１０３やインバータ１０６等が破損してしまう可能性がある。
【０００８】
また、一般に、無停電電源装置の充電器はノイズの発生源となりやすく、例えば周辺で計測器等を用いた高精度な計測を行う際には、そのノイズが計測に悪影響を及ぼすことがある。この点、特許文献１および２に記載の無停電電源装置は、いずれも商用電源と充電器が直結しているため、充電器から商用電源にノイズが入り込み、商用電源を介して周辺の計測器等に影響を及ぼす可能性がある。
【０００９】
本発明は、このような問題点を解決するためになされたものであり、落雷等によるサージの影響を受けにくく、またノイズの発生を抑制することが可能な無停電電源装置およびその制御方法を提供することを目的とする。
【課題を解決するための手段】
【００１０】
本発明に係る無停電電源装置は、バッテリーユニットと、前記バッテリーユニットに電力を供給する充電器と、前記バッテリーユニットから電力を放電するインバータと、商用電源と、前記充電器と、を接続可能な第１のスイッチと、前記商用電源または前記インバータのいずれか一方と、負荷と、を接続可能な第２のスイッチと、前記第１のスイッチおよび前記第２のスイッチを制御する制御部と、を有し、前記制御部は、所定のトリガに応じて、前記第１のスイッチを接続し、前記第２のスイッチを前記商用電源側に接続する商用電源駆動状態と、前記第１のスイッチを切断し、前記第２のスイッチをインバータ側に接続するバッテリ駆動状態と、を切り替えることを特徴とする。
【００１１】
本発明に係る他の無停電電源装置では、前記バッテリーユニットは、並列接続された複数のバッテリーと、前記複数のバッテリーのうちの１つのみを、前記充電器から充電可能な状態に接続するよう制御する充電切替器と、を含む。
【００１２】
本発明に係る他の無停電電源装置では、前記制御部は、雷の発生を前記トリガとして認識する。また、他の無停電電源装置では、前記制御部は、予め定められたスケジュールに従って前記トリガを認識する。
【００１３】
本発明に係る無停電電源装置の制御方法は、バッテリーユニットと、前記バッテリーユニットに電力を供給する充電器と、前記バッテリーユニットから電力を放電するインバータと、商用電源と、前記充電器と、を接続可能な第１のスイッチと、前記商用電源または前記インバータのいずれか一方と、負荷と、を接続可能な第２のスイッチと、前記第１のスイッチおよび前記第２のスイッチを制御する制御部と、を有する無停電電源装置の制御方法であって、前記制御部が、所定のトリガに応じて、前記第１のスイッチを接続し、前記第２のスイッチを前記商用電源側に接続する商用電源駆動状態と、前記第１のスイッチを切断し、前記第２のスイッチをインバータ側に接続するバッテリ駆動状態と、を切り替えることを特徴とする。
【発明の効果】
【００１４】
本発明により、落雷等によるサージの影響を受けにくく、またノイズの発生を抑制することが可能な無停電電源装置およびその制御方法を提供することができる。
【図面の簡単な説明】
【００１５】
【図１】本発明の実施の形態にかかる無停電電源装置１００の構成を示すブロック図である。
【図２】本発明の実施の形態にかかる無停電電源装置１００のバッテリーユニット２０の構成例を示す図である。
【図３】従来の無停電電源装置において、循環電流が発生する機序を説明するための模式図である。
【図４】従来の無停電電源装置において、循環電流が発生する機序を説明するための模式図である。
【図５】従来の無停電電源装置において、循環電流が発生する機序を説明するための模式図である。
【図６】本発明の実施の形態にかかる無停電電源装置１００の動作を示すフローチャートである。
【図７】従来の無停電電源装置の構成を示す図である。
【発明を実施するための形態】
【００１６】
以下、本発明を適用した具体的な実施の形態について、図面を参照しながら詳細に説明する。まず、図１を用いて、本発明の実施の形態にかかる無停電電源装置１００の構成について説明する。
【００１７】
無停電電源装置１００は、電力の供給元である商用電源と、電力の出力先である負荷とに接続される。負荷は、典型的には、常時稼働が求められる計測器などである。無停電電源装置１００は、充電器１０、バッテリーユニット２０、インバータ３０、スイッチ４１および４２、並びに制御部５０を有する。
【００１８】
商用電源は、スイッチ４１を介して充電器１０に接続される。スイッチ４１がＯＮのとき、商用電源からの電流が充電器１０に入力される。スイッチ４１がＯＦＦのとき、商用電源からの電流は遮断される。
【００１９】
充電器１０は、バッテリーユニット２０に電力を供給して、バッテリーユニット２０を充電する。バッテリーユニット２０は、インバータ３０およびスイッチ４２を介して負荷に接続される。
【００２０】
負荷は、スイッチ４２を介して商用電源およびインバータ３０に接続される。スイッチ４２が商用電源に接続されると、商用電源が負荷に対して給電する。すなわち商用電源駆動となる。一方、スイッチ４２がインバータ３０に接続されると、バッテリーユニット２０がインバータ３０を介して負荷に給電する。すなわちバッテリー駆動となる。
【００２１】
制御部５０は、所定のトリガに応じてスイッチ４１および４２を切り替える制御を行う。通常時すなわち商用電源駆動時は、制御部５０は、スイッチ４１を接続する（ＯＮ）とともに、スイッチ４２を商用電源側に接続する。一方、制御部５０は、所定のトリガを検出すると、スイッチ４１を切断する（ＯＦＦ）とともに、スイッチ４２をインバータ３０側に接続する。
【００２２】
ここで、バッテリーユニット２０の好ましい構成についてさらに詳細に説明する。バッテリーユニット２０は、少なくとも１つのバッテリーにより構成され得るが、複数のバッテリーを並列接続することにより、稼働時間や可用性を向上させることができる。但し、複数のバッテリーを単に並列接続すると、循環電流が発生してしまい、バッテリー容量の低下や、バッテリーの短寿命化といった問題を引き起こす。
【００２３】
ここで、図３を用いて、複数のバッテリーを単純に並列接続した場合に発生する循環電流について具体的に説明する。図３では、複数のバッテリー２１〜２４が並列接続されている。このように複数のバッテリーが並列接続されている場合には、通常、各バッテリー間で電流が流れ、電池容量が減っていくが、この際に流れる電流を、循環電流という。
【００２４】
この循環電流は、接続されているバッテリー同士の電圧の差や内部抵抗の差によって発生する。しかし、たとえ同種のバッテリーであっても個体差があり、バッテリー同士の電圧や内部抵抗が一致することはないため、複数のバッテリーが並列接続されている限り、無負荷であっても常に循環電流が流れてバッテリーの電力が消費され続けることとなり、バッテリー容量を低下させ、バッテリーの寿命が短くなる要因となっている。
【００２５】
例えば、図３では、バッテリー２２の電圧がバッテリー２１，２３，２４より低い電圧のバッテリーであるとする。この場合、実線で示す矢印Ａは、バッテリー２１，２３，２４から、バッテリー２２に流れている循環電流の様子を示している。そして、バッテリー２２の電圧が他のバッテリーよりも高くなると、破線で示す矢印Ｂのように、今度はバッテリー２２から他のバッテリー２１，２３，２４に対して循環電流が流れてしまう。
【００２６】
図４は、複数のバッテリーが並列接続されている従来の無停電電源装置の概略構成および充電時の制御状態を示す説明図である。図４においても、複数のバッテリー２１〜２４が並列接続されており、各バッテリーには充電器１０およびインバータ３０が接続されている。そして、図４において、バッテリー２１はほぼ満充電状態であり、バッテリー２２はほぼ空（カラ）になっている状態であり、バッテリー２３，２４は少しだけ使われている状態であるとする。充電中は、スイッチＳＷ１をＯＮ、スイッチＳＷ２をＯＦＦとする。
【００２７】
この状態で充電が行われる場合、図４では、充電器１０からの充電時に、実線の矢印Ｃで示すように、充電器１０から１２Ａの電流がバッテリー２２に流れている。また同時に、破線の矢印Ｄに示すように、バッテリー２１から３Ａ、バッテリー２３から１Ａ、バッテリー２４から１Ａがそれぞれバッテリー２２に循環電流として流れ、合計１７Ａで充電が行われることを示している。
【００２８】
このように、従来の無停電電源装置においては、例えば、あるバッテリーがせっかく新品に近い、ほぼ満充電状態にあるバッテリーであったとしても、そのバッテリーから循環電流が流れてしまったり、同じくらいの状態に見えるバッテリーであっても、電圧の差や内部抵抗の差によって循環電流が流れてしまうため、バッテリーに無駄な負荷をかけ続けてしまい、バッテリーの長寿命化の妨げになってしまうという問題があった。
【００２９】
また、図５は、複数のバッテリーが並列接続されている従来の無停電電源装置の概略構成および放電時の制御状態を示す説明図である。構成については図４と同じであるが、図５においても、バッテリー２１はほぼ満充電状態であり、バッテリー２２はほぼ空（カラ）になっている状態であり、バッテリー２３，２４は少しだけ使われている状態であるとする。放電中は、スイッチＳＷ１をＯＦＦ、スイッチＳＷ２をＯＮとする。
【００３０】
この状態で放電が行われる場合、図５では、インバータ３０への放電時に、二重線の矢印Ｅで示すように、バッテリー２１から１２Ａの電流がインバータ３０へ流れている。また同時に、破線の矢印Ｆに示すように、バッテリー２１からバッテリー２２へ１２Ａ、バッテリー２３へ１Ａ、バッテリー２４へ１Ａがそれぞれ循環電流として流れ、バッテリー２１からは合計２６Ａの電流が流れることを示している。
【００３１】
また、この際、各バッテリーの放電速度に差があるため、バッテリーの使用頻度に差が発生してしまう。これにより、複数のバッテリーのうちいずれか１つのバッテリーだけが早く寿命を迎えてしまい、無停電電源装置全体の長寿命化の妨げになってしまうという問題もあった。
【００３２】
そこで、本実施の形態のバッテリーユニット２０では、複数のバッテリーそれぞれの寿命を長くすることにより、無停電電源装置全体の長寿命化をはかるため、充電時にはバッテリーを１つずつ充電する、すなわち、１つのバッテリーのみが接続されるよう制御して充電することにより、他のバッテリーに循環電流が流れないようにする。また、複数のバッテリーそれぞれとインバータ３０との間にそれぞれ循環電流防止ダイオードを設けることにより、放電時にも各バッテリーに循環電流が流れないようにする。
【００３３】
また、上記のとおり、充電時にも放電時にも各バッテリーに循環電流が流れないようにするとともに、充電もせず放電もさせない他のバッテリーは、回路から切り離して休ませることができるよう制御して待機状態にすることにより、すべてのバッテリーを最適な状態で管理し、バッテリーの長寿命化をはかっている。
【００３４】
図２に、本実施の形態におけるバッテリーユニット２０の構成例を示す。このバッテリーユニット２０は、上述のように循環電流を抑制するための対策が施された、並列接続バッテリー群である。このバッテリーユニット２０においては、複数のバッテリー２１〜２４が、充電切替器２５を介して充電器１０に対し並列接続され、充電回路を形成している。また、バッテリー２１〜２４は、放電切替器２６を介してインバータ３０に対して並列接続され、放電回路を形成している。この放電回路は、循環電流防止ダイオード５１〜５４を備えている。
【００３５】
充電切替器２５は、複数のバッテリー２１〜２４のうちの１つのみを、充電器１０から充電可能な状態に接続するよう制御する切替器である。
【００３６】
このように、充電切替器２５は、充電時にはバッテリーを１つずつ充電する、すなわち、充電器に１つのバッテリーのみが接続されるよう制御することにより、並列接続された他のバッテリーに循環電流が流れないようにすることができる。これにより、複数のバッテリーそれぞれの寿命を長くでき、無停電電源装置全体の長寿命化をはかることができる。なお、複数のバッテリーを単純に並列接続した場合に循環電流が発生するメカニズムについては、後に詳しく説明する。
【００３７】
放電切替器２６は、複数のバッテリー２１〜２４のうちの少なくとも１つを、インバータ３０に電力を放電可能な状態に接続するよう制御する切替器であり、充電切替器２５により充電器１０から充電可能な状態に接続されたバッテリー（充電接続状態のバッテリー）以外のバッテリーのうちの少なくとも１つを、インバータ３０に電力を放電可能な状態に接続するよう制御する。すなわち、充電接続状態のバッテリー以外のバッテリーのうちの１つのみを放電可能な状態に接続してもよいし、充電接続状態のバッテリー以外のバッテリーすべてを放電可能な状態に接続することも可能である。
【００３８】
このように、放電切替器２６により、常に少なくとも１つのバッテリーからインバータ３０に電力を放電可能な状態に接続しておくことにより、必要なときにタイムラグなくインバータ３０から外部の負荷への電力供給を行うことができる。
【００３９】
また、循環電流防止ダイオード５１〜５４は、インバータ３０と複数のバッテリー２１〜２４との間のそれぞれに設けられており、複数のバッテリー２１〜２４のいずれかから各バッテリーへの循環電流を防止するものである。すなわち、循環電流防止ダイオード５１は、インバータ３０とバッテリー２１との間に、バッテリー２１からインバータ３０の方向にしか電流が流れないような向きに設けられている。
【００４０】
同様に、循環電流防止ダイオード５２は、インバータ３０とバッテリー２２との間に、バッテリー２２からインバータ３０の方向にしか電流が流れないような向きに設けられ、循環電流防止ダイオード５３は、インバータ３０とバッテリー２３との間に、バッテリー２３からインバータ３０の方向にしか電流が流れないような向きに設けられ、循環電流防止ダイオード５４は、インバータ３０とバッテリー２４との間に、バッテリー２４からインバータ３０の方向にしか電流が流れないような向きに設けられている。
【００４１】
この結果、放電切替器２６によって、例えばバッテリー２２〜２４の３つが同時にインバータ３０に電力を放電可能な状態に接続されたとしても、バッテリー２２からの電流がバッテリー２３やバッテリー２４に流れることはなく、同様に、いずれのバッテリーからも他のバッテリーへ電流が流れることがなく、各バッテリーへの循環電流を防止することができる。
【００４２】
続いて、図６のフローチャートを用いて、本実施の形態にかかる無停電電源装置１００の動作について説明する。
【００４３】
Ｓ１：商用電源駆動
制御部５０は、スイッチ４２を制御して、商用電源と負荷とを接続する。これにより、商用電源から負荷に対し、直接、電力が給電される。また、制御部５０は、スイッチ４１をＯＮにして、商用電源と充電器１０とを接続する。これにより、バッテリーユニット２０には充電が行われる。
【００４４】
Ｓ２：トリガ発生
制御部５０は、トリガの発生を検知した場合、ステップＳ３に移行する。その他の場合は、トリガの監視を継続する。
【００４５】
典型的なトリガとしては、例えば外部信号、通信メッセージ、またはスケジュール機能がある。例えば、制御部５０は、入力端子を備えているならば、外部信号の入力を検知してこれをトリガと認識する。外部信号は、ユーザ操作に応じて入力されるものでも良く、他のマイクロコンピュータ等から入力されるものであっても良く、公知の雷検知器等から入力されるものであっても良い。または、制御部５０は、通信ポート等を備えているならば、通信メッセージを受信および解釈して、所定のメッセージをトリガとして認識することができる。例えば、通信メッセージは、例えば天気情報提供サーバから送信される天気情報データ等であって良い。制御部５０は、無停電電源装置１００の設置場所における雷の発生予報を含む天気情報データを受信した場合に、これをトリガとして認識することができる。あるいは、制御部５０は、タイマを備えているならば、所定のスケジュールに従ってトリガを発生することができる。例えば、制御部５０は、電力料金が安い時間帯には商用電源駆動を行い、電力料金が高い時間帯にはバッテリー駆動を行うことができるよう、予め定められたスケジュールに従って所定の時刻にトリガを発生させることができる。
【００４６】
Ｓ３：バッテリー駆動
制御部５０は、スイッチ４２を制御して、インバータ３０と負荷とを接続する。これにより、バッテリーユニット２０から負荷に対し、電力が給電される。また、制御部５０は、スイッチ４１をＯＦＦにして、商用電源と充電器１０との接続を切断する。これにより、商用電源は、充電器１０、バッテリーユニット２０、インバータ３０、および負荷のいずれからも切断された状態となる。よって、これらの無停電電源装置１００の構成要素および負荷は、商用電源から入力するサージの影響を受けることがない。
【００４７】
以降、制御部５０は、所定のトリガに応じて、再度ステップＳ１に遷移し、商用電源駆動を再開させることとしても良い。この場合のトリガとしても、外部信号、通信メッセージ、またはスケジュール機能等を用いることができる。例えば、制御部５０は、通信メッセージとして、無停電電源装置１００の設置場所における雷の発生予報が解除されたことを含む天気情報データを受信したとき、これをトリガと認識して、商用電源駆動を再開することができる。
【００４８】
本実施の形態によれば、無停電電源装置１００の制御部５０は、所定のトリガに応じ、スイッチ４１をＯＦＦにして充電器１０を商用電源から切り離す。例えば、制御部５０は、雷を検知したことをトリガとして、自動的に商用電源駆動をバッテリー駆動に切り替える。これにより、商用電源から入り込むサージによって、充電器１０、バッテリーユニット２０、インバータ３０等が破損することを未然に防止することができる。
【００４９】
また、本実施の形態では、バッテリーユニット２０として、循環電流の発生を抑制しつつ並列接続された複数のバッテリーを用いる。これにより、無停電電源装置１００は、長時間にわたって負荷に電力を供給することができる。例えば、落雷が長時間連続するような場合であっても、安定した電力供給を行うことが可能である。
【００５０】
また、制御部５０は、所定の時刻に自動的に商用電源駆動をバッテリー駆動動作に切り替えることが可能である。これにより、いわゆるピークシフト運転が可能となる。
【００５１】
さらに、制御部５０は、ユーザの操作に応じて任意のタイミングで商用電源駆動をバッテリー駆動に切り替えることができる。例えば、無停電電源装置１００の周辺で、計測器を用いた高精度な計測等を行う場合に、予め無停電電源装置１００をバッテリー駆動状態にしておけば、無停電電源装置１００から発生するノイズの影響を抑制することができる。バッテリー駆動時には、スイッチ４１により充電器１０と商用電源とが切り離されているため、充電器１０が動作せず、充電器１０からノイズが発生しないからである。また、計測器が商用電源を使用する場合であっても、スイッチ４１により充電器１０と商用電源とが切り離されているため、バッテリーユニット２０やインバータ３０からのノイズが商用電源に流入し、計測器に影響を及ぼすことがない。
【００５２】
なお、本願発明はその発明の範囲内において、実施の形態の任意の構成要素の変形、もしくは実施の形態の任意の構成要素の省略が可能である。
【００５３】
例えば、上述の実施の形態では、商用電源駆動をバッテリー駆動動作に切り替える際のトリガとして、外部入力、通信メッセージ、およびスケジュール機能を例示したが、本発明はこれに限定されるものでなく、任意のトリガを利用することができる。
【００５４】
また、上述の実施の形態では、バッテリーユニット２０の構成例として、図２に示すような複数のバッテリーを並列接続したものを示したが、本発明はこれに限定されるものでなく、バッテリーユニット２０は、少なくとも１つのバッテリーを含んでいれば良い。
【００５５】
なお、バッテリーユニット２０として図２に示すような構成を採用した場合は、複数のバッテリーを個々に管理することができるため、これらの複数のバッテリーについては、必ずしも同種のバッテリーである必要はない。例えば、電圧が同程度であり、温度のチェックが不要である等、充電電圧と管理条件が同等なバッテリーであれば、容量の異なるバッテリーを使用することができる。また、上述の実施の形態では、出願時の技術水準に基づき、典型的なバッテリーとして鉛バッテリーを想定しているが、同様の特性を有するものであれば、鉛バッテリー以外のバッテリーを採用しても構わない。
【００５６】
また、図２では、並列接続されるバッテリーの数を４つとして説明したが、本発明はこれに限定されるものでなく、並列接続を行う場合には少なくとも２つのバッテリーがあればよい。
【符号の説明】
【００５７】
１００  無停電電源装置
１０  充電器
２０  バッテリーユニット
２１，２２，２３，２４  バッテリー
２５  充電切替器
２６  放電切替器
３０  インバータ
４１，４２  スイッチ
５０  制御部
【図１】
2017184540.tif 000003
【図２】
2017184540.tif 000004
【図３】
2017184540.tif 000005
【図４】
2017184540.tif 000006
【図５】
2017184540.tif 000007
【図６】
2017184540.tif 000008
【図７】
2017184540.tif 000009